(57)【要約】【課題】この発明は、良好な寝心地が得られるようにするとともに横揺れを小さくして安定した寝心地が得られるようにしたマットレス装置を提供することにある【解決手段】ばねユニットの長手方向中央部分は、コイルばねをばねユニットの幅方向に延びるとともに長手方向に所定間隔で設けられた複数本の螺旋状ワイヤで連結し、頭側部分と足側部分は、コイルばねをばねユニットの長手方向に延びるとともに幅方向に所定間隔で設けられた複数数本の螺旋状ワイヤで連結した。【選択図】　　　　図１
2004121515.tif 000002
【特許請求の範囲】
【請求項１】
多数のコイルばねを螺旋状ワイヤで連結して平板状に形成されたばねユニットと、このばねユニットの上下面の少なくとも一方の面に重合された弾性材と、上記ばねユニットと上記弾性材との重合体を被覆した外装地とでなるマットレス装置において、上記ばねユニットは、その長手方向中央部分は、コイルばねがばねユニットの幅方向に延びるとともに長手方向に所定間隔で設けられた複数本の螺旋状ワイヤで連結され、頭側部分と足側部分は、それぞれのコイルばねがばねユニットの長手方向に延びるとともに幅方向に所定間隔で設けられた複数数本の螺旋状ワイヤで連結されて形成されていることを特徴とするマットレス装置。
【請求項２】
上記ばねユニットの長手方向中央部分には、軸線をほぼ平行にした複数のコイル部と、隣合うコイル部の上端と下端とを連結したほぼＺ字状の連結片とが１本の硬鋼線によって連続して形成された第１のばね条片が複数配設され、ばねユニットの上記長手方向中央部分を除く頭側部分及び足側部分には、軸線をほぼ平行にした複数のコイル部と、隣合うコイル部の上端と下端とを連結し、ほぼその中央部分に支持構造部が形成された連結片とが１本の鋼線によって連続して形成され、コイル部の一部と隣合うコイル部の一部とが係合され、上記連結片の端部と隣合う連結片の端部とが隣接して形成された第２のばね条片が複数配設されて形成されていることを特徴とする請求項１記載のマットレス装置。
【請求項３】
上記ばねユニットの長手方向中央部分、頭側部分及び足側部分にはそれぞれ単体の鼓形コイルばねが複数配設されて形成されていることを特徴とする請求項１記載のマットレス装置。
【発明の詳細な説明】
【０００１】
【発明が属する技術分野】
この発明は、利用者を安定した寝姿勢で支えることができるようにしたマットレス装置に関する。
【０００２】
【従来の技術】
一般に、マットレス装置は多数のコイルばねをばねユニットの長手方向に延びるとともに幅方向に複数配設した螺旋状ワイヤで連結してなるばねユニットあるいはこいるばねをばねユニットの幅方向に延びるとともに長手方向に複数配設した螺旋状ワイヤで連結してなるばねユニットと、このばねユニットの少なくとも上面にフェルト等の保護材を介して重合されたウレタンフォ−ム等の弾性材及びこの重合体を被覆した外装地とで構成されている。
【０００３】
上記のように構成されたマットレス装置上に利用者が横臥すると、コイルばねを連結する複数の螺旋状ワイヤはばねツニットの長手方向或いは幅方向のいずれかの方向に配設されているので、螺旋状ワイヤの延びる方向に対しては横揺れは小さくなるが螺旋状ワイヤの延びる方向と直交する方向に対しては横揺れが大きくなり安定性に欠けることがある。
【０００４】
又、螺旋状ワイヤが同方向に複数配設されたばねユニットであると、螺旋状ワイヤによって利用者の最も荷重が大きい臀部を支える長手方向中央部分の影響を他の部分も受けるので寝心地が悪くなるということがある。
【０００５】
【発明が解決しようとする課題】
このように従来のマットレス装置では、螺旋状ワイヤが同じ方向に配設されたばねユニットであると、良好な寝心地が得られないと共に使用中横揺れが大きくなり安定性に欠けるということがある。
【０００６】
この発明は上記事情に基づきなされたもので、その目的とするところは、良好な寝心地が得られるようにするとともに横揺れを小さくして安定した寝心地が得られるようにしたマットレス装置を提供することにある。
【０００７】
【課題を解決するための手段】
請求項１の発明は、多数のコイルばねを螺旋状ワイヤで連結して平板状に形成されたばねユニットと、このばねユニットの上下面の少なくとも一方の面に重合された弾性材と、上記ばねユニットと上記弾性材との重合体を被覆した外装地とでなるマットレス装置において、上記ばねユニットは、その長手方向中央部分は、コイルばねがばねユニットの幅方向に延びるとともに長手方向に所定間隔で設けられた複数本の螺旋状ワイヤで連結され、頭側部分と足側部分は、それぞれのコイルばねがばねユニットの長手方向に延びるとともに幅方向に所定間隔で設けられた複数数本の螺旋状ワイヤで連結されて形成されていることを特徴とするマットレス装置にある。
【０００８】
請求項２の発明は、上記ばねユニットの長手方向中央部分には、軸線をほぼ平行にした複数のコイル部と、隣合うコイル部の上端と下端とを連結したほぼＺ字状の連結片とが１本の硬鋼線によって連続して形成された第１のばね条片が複数配設され、ばねユニットの上記長手方向中央部分を除く頭側部分及び足側部分には、軸線をほぼ平行にした複数のコイル部と、隣合うコイル部の上端と下端とを連結し、ほぼその中央部分に支持構造部が形成された連結片とが１本の鋼線によって連続して形成され、コイル部の一部と隣合うコイル部の一部とが係合され、上記連結片の端部と隣合う連結片の端部とが隣接して形成された第２のばね条片が複数配設されて形成されていることを特徴とするマットレス装置にある。
【０００９】
請求項３の発明は、上記ばねユニットの長手方向中央部分、頭側部分及び足側部分にはそれぞれ単体の鼓形コイルばねが複数配設されて形成されていることを特徴とするマットレス装置にある。
【００１０】
この発明によれば、ばねユニットの長手方向中央部分は、コイルばねがばねユニットの幅方向に延びるとともに長手方向に所定間隔で設けられた複数本の螺旋状ワイヤで連結され、頭側部分と足側部分は、それぞれのコイルばねがばねユニットの長手方向に延びるとともに幅方向に所定間隔で設けられた複数数本の螺旋状ワイヤで連結されて形成されているので、良好な寝心地が得られ、横揺れが小さい安定した寝心地が得られる。
【００１１】
【発明の実施の形態】
以下、この発明の一実施形態を図面を参照して説明する。
【００１２】
【実施例】
図１乃至図７に示すマットレス装置１は平板状をなすばねユニット２を備えている。このばねユニット２の長手方向中央部分２Ａには、ばねユニット２の幅方向に延びる第１のばね条片３ａ、３ｂ・・・がばねユニット２の長手方向に沿って複数、この実施例では８本、配設されている。
【００１３】
上記各第１のばね条片３ａ、３ｂ・・・は硬鋼線を曲成することにより、軸線をほぼ平行にした複数のコイル部４ａ、４ｂ・・・と、隣合う各コイル部４ａ、４ｂ・・・の上下端をそれぞれ連結したほぼＺ字状の連結片５ａ、５ｂ・・・とが連続形成されている。すなわち、その中の１つの第１のばね条片３ａを例として図３と図４を説明すれば、まず硬鋼線を立ち上がらせて巻き回し第１のコイル部４ａを形成する。この第１のコイル部４ａの立ち上がりの終端からはこの終端に一端を連続した上部連結片５ａをほぼＺ字状に導出する。この上部連結片５ａの他端からは硬鋼線を立ち下がらせて巻き回し、第１のコイル部４ａと軸線がほぼ平行な第２のコイル部４ｂを形成する。この第２のコイル部４ｂの立下りの終端からはこの終端に一端を連続した下部連結片５ｂをほぼＺ字状に導出する。この下部連結片５ｂの他端からは硬鋼線を立ち上がらせて巻き回し、上記第１、第２のコイル部４ａ、４ｂと軸線がほぼ平行な第３のコイル部４ｃを形成する。このようにコイル部４Ａａ、４ｂ・・・と連結片５ａ、５ｂ・・・とを順次繰り返して形成することにより、１本の硬鋼線から軸線をほぼ平行にした複数のコイル部４ａ、４ｂ・・・と、これらコイル部４ａ、４ｂ・・・の上下端を連結したほぼＺ字状の複数の上下部連結片５ａ、５ｂ・・・とが直線状に連続した第１のばね条片３ａ、３ｂ・・・が形成される。
【００１４】
そして上記第１のばね条片３ａ、３ｂ・・・は隣合うばね条片３ａ、３ｂ・・・の上下端に位置する連結片５ａ、５ｂ・・・の各端部が幅方向に延びる螺旋状ワイヤ６・・・で連結されている。
【００１５】
一方上記ばねユニット２の上記長手方向中央部分２Ａを除く頭側部分２Ｂと足側部分２Ｃにはばねユニット２の幅方向に延びる第２のばね条片１０ａ、１０ｂ・・・がばねユニット２の長手方向に沿って複数、この実施例ではそれぞれ１１本づつ、配設されている。
【００１６】
上記第２のばね条片１０ａ、１０ｂ・・・は上記第１のばね条片３ａ、３ｂ・・・と同様に硬鋼線を曲成することにより、軸線をほぼ平行にした複数のコイル部１１ａ、１１ｂ・・・と、隣合うコイル部１１ａ、１１ｂ・・・の上下端をそれぞれ連結した連結片１２ａ、１２ｂ・・・とを連結形成してなる。
【００１７】
その中の１つの第２のばね条片１０ａを例にして説明すれば、まず硬鋼線を立ち下がらせて巻き回し第１のコイル部１１ａを形成する。この第１のコイル部１１ａの立下りの終端からはこの終端に一端を連続した下部連結片１２ａを導出する。この下部連結片１２ａはほぼコ字状をなしその中央部分には内方に屈曲形成され略々弧状の支持構造部１３ａが形成されている。この支持構造部１３ａは後述する保護材１６や弾性材１７の落ち込みを防止する作用を呈する。上記下部連結片１２ａの他端からは硬鋼線を立ち上がらせて巻き回し、第１のコイル部１１ａと軸線がほぼ平行で螺旋の一部を第１のコイル部１１ａに絡ませた第２のコイル部１１ｂを形成する。
【００１８】
この第２のコイル部１１ｂの立ち上がりの終端からはこの終端に一端を連続した上部連結片１２ｂを導出する。この上部連結片１２ｂは上記下部連結片１２ａと同様にほぼコ字状をなしその中央部分には内方に屈曲形成され略々弧状の支持構造部１３ｂが形成このされている。この上部連結片１２ｂの他端からは硬鋼線を立ち下がらせて巻き回し、上記第１、第２のコイル部１１ａ、１１ｂと軸線がほぼ平行で螺旋の一部を第２のコイル部１１ｂに絡ませた第３のコイル部１１ｃを形成する。このようにコイル部１１ａ、１１ｂ・・・と上下の連結片１２ａ、１２ｂ・・・とを順次繰り返して形成することにより、１本の硬鋼線から軸線をほぼ平行にした複数のコイル部１１ａ、１１ｂ・・・と、これらコイル部１１ａ、１１ｂ・・・の上下端を連結した上下部連結片１２ａ，１２ｂ・・・とが直線状に連続した第２のばね条片１０ａが形成される。
【００１９】
上記第２のばね条片１０ａ、１０ｂ・・・は図１に示すようにばねユニット２の長手方向中央部分２Ａを除く頭側部分２Ｂと足側部分２Ｃにそれぞればねユニット２の長手方向に沿って配設され、上記第２のばね条片１０ａ、１０ｂ・・・の上側に位置する上部連結片と下側に位置する下部連結片の隣合う端部がそれぞればねユニット２の長手方向に延びる螺旋状ワイヤ６・・・で連結されている。
【００２０】
上記ばねユニット２の長手方向中央部分２Ａに配設された上記第１のばね条片３ａ、３ｂ・・・の上下部連結片５ａ、５ｂ・・・と接する頭側部分２Ｂ及び足側部分２Ｃに配設された第２のばね条片１０ａ、１０ｂ・・・の上下部連結片１２ａ，１２ｂ・・・とが螺旋状ワイヤ６・・・で連結されてばねユニット２が平板状に形成されている。
【００２１】
又、平板状に形成されたばねユニット２の上下面周縁には枠線１４、１４がばねユニット２の周縁に位置する第１のばね条片３ａ、３ｂ・・・と第２のばね条片１０ａ、１０ｂ・・・の上下部連結片５ａ、５ｂ・・・、１２ａ，１２ｂ・・・にクリップ１５・・・で連結されている。
【００２２】
ところで上記第１のばね条片３ａ、３ｂ・・・が複数配設されたばねユニット２の長手方向中央部分２Ａは上記第２のばね条片１０ａ、１０ｂ・・・が複数配設された頭側部分２Ｂと足側部分２Ｃに比べて弾性変形そにくく形成されている。上記第１のばね条片３ａ、３ｂ・・・と第２のばね条片１０ａ、１０ｂ・・・は、コイル径の違い、ばねの線径の違い、コイル部の数量の違い、連結片とコイル部の形状の違い等々により弾性変形量が異なり、上記第１のばね条片３ａ、３ｂ・・・の方が第２のばね条片１０ａ、１０ｂ・・・よりも弾性変形しにくく、すなわち硬く形成されている。
【００２３】
そして上記のように形成されたばねユニット２の上下面にはフェルト等の保護材１６を介してウレタンフォ−ム等の弾性材１７が重合され、それらは袋状の外装地１８により被覆されている。
【００２４】
しかして、上記マットレス装置１によれば、ばねユニット２の長手方向中央部分２Ａは、第１のばね条片３ａ、３ｂ・・・がばねユニット２の幅方向に延びるとともに長手方向に所定間隔で設けられた複数本の螺旋状ワイヤ６・・・で連結され、頭側部分２Ｂと足側部分２Ｃは、第２のばね条片１０ａ、１０ｂ・・・がばねユニット２の長手方向に延びるとともに幅方向に所定間隔で設けられた複数数本の螺旋状ワイヤ６・・・で連結されて形成されているので、ばねユニット２の中央部分２Ａと頭側部分２Ｂ及び足側部分２Ｃは螺旋状ワイヤ６・・・で一体的に強く結合した状態に形成されていない。従って、マットレス装置１上に仰臥した利用者の荷重に対して、ばねユニット２の中央部分２Ａと頭側部分２Ｂ及び足側部分２Ｃは互いに他の部分に影響を及ぼすことなく、すなわちそれぞれの部分が独立した状態で荷重を受けることになるから、良好な寝心地が得られる。
【００２５】
又、ばねユニット２の中央部分２Ａの螺旋状ワイヤ６・・・はばねユニット２の幅方向に延びて設けられており、頭側部分２Ｂ及び足側部分２Ｃの螺旋状ワイヤ６・・・はばねユニット２の長手方向に延びて設けられているので、マットレス装置１の幅方向に対する揺れに対しては、ばねユニット２の中央部分２Ａに設けられた幅方向に延びる螺旋状ワイヤ６・・・が揺れを小さくする作用を呈し、マットレス装置１の長手方向に対する揺れに対しては、ばねユニット２の頭側部分２Ｂと足側部分２Ｃに設けられた長手方向に延びて設けられた螺旋状ワイタ６・・・が揺れを小さくする作用を呈する。従って、マットレス装置１は長手方向及び幅方向に対する揺れが小さくなり安定した寝心地が得られる。
【００２６】
又、上記の様にこの実施例のばねユニット２においては、上記第１のばね条片３ａ、３ｂ・・・が複数配設されたばねユニット２の長手方向中央部分２Ａは上記第２のばね条片１０ａ、１０ｂ・・・が複数配設された頭側部分２Ｂと足側部分２Ｃに比べて弾性変形そにくく形成されている。上記第１のばね条片３ａ、３ｂ・・・と第２のばね条片１０ａ、１０ｂ・・・は、コイル径の違い、ばねの線径の違い、コイル部の数量の違い、連結片とコイル部の形状の違い等々により弾性変形が異なり、上記第１のばね条片３ａ、３ｂ・・・の方が第２のばね条片１０ａ、１０ｂ・・・よりも弾性変形しにくく、すなわち硬く形成されている。
【００２７】
上記マットレス装置１上に利用者が仰臥すると、上記ばねユニット２が主に利用者の荷重を受けることになるが、ばねユニット２の頭側部分２Ｂと足側部分２Ｃに比べて弾性変形しにくく形成された長手方向中央部分２Ａが利用者の荷重の最も大きい臀部を受けるので、長手方向中央部分２Ａが頭側部分２Ｂや足側部分２Ｃに比べて大きく落ち込んでしまうということがなく、良好な寝姿勢が得られる。
【００２８】
図８にこの発明の第２の実施例のマットレス装置２０を示す。このマットレス装置２０は平板状をなすばねユニット２１を備えている。このばねユニット２１の長手方向中央部分２１Ａは多数の鼓形コイルばね２２をばねユニット２１の幅方向に延びる複数本の螺旋状ワイヤ２３・・・で連結して形成されている。
【００２９】
又、このばねユニット２１の長手方向中央部分２１Ａを除く頭側部分２１Ａと足側部分２１Ｃは、多数の鼓形コイルばね２２をばねユニット２１の長手方向に延びる複数本の螺旋状ワイヤ２３・・・で連結して形成されている。
【００３０】
そして上記構成のばねユニット２１の上下面周縁には枠線２４，２４が周縁に位置するコイルばね２２・・・に図示しないクリップによって取付けられている。
【００３１】
このように形成されたばねユニット２の上下面にはフェルト等の保護材２５を介してウレタンフォ−ム等の弾性材２６が重合され、それらは袋状の外装地２７により被覆されている。
【００３２】
【発明の効果】
以上述べたようにこの発明は、マットレス装置を構成するばねユニットを、その長手方向中央部分は、コイルばねをばねユニットの幅方向に延びるとともに長手方向に所定間隔で設けられた複数本の螺旋状ワイヤで連結し、頭側部分と足側部分は、それぞれのコイルばねをばねユニットの長手方向に延びるとともに幅方向に所定間隔で設けられた複数数本の螺旋状ワイヤで連結して形成した。
【００３３】
それによってばねユニット２の中央部分２Ａと頭側部分２Ｂ及び足側部分２Ｃは螺旋状ワイヤ６・・・で一体的に強く結合した状態に形成されていない。従って、マットレス装置１上に仰臥した利用者の荷重に対して、ばねユニット２の中央部分２Ａと頭側部分２Ｂ及び足側部分２Ｃは互いに他の部分に影響を及ぼすことなく、すなわちそれぞれの部分が独立した状態で荷重を受けることになるから、良好な寝心地が得られる。
【００３４】
又、マットレス装置１の幅方向に対する揺れに対しては、ばねユニット２の中央部分２Ａに設けられた幅方向に延びる螺旋状ワイヤ６・・・が揺れを小さくする作用を呈し、マットレス装置１の長手方向に対する揺れに対しては、ばねユニット２の頭側部分２Ｂと足側部分２Ｃに設けられた長手方向に延びて設けられた螺旋状ワイタ６・・・が揺れを小さくする作用を呈する。従って、マットレス装置１は長手方向及び幅方向に対する揺れが小さくなり安定した寝心地が得られる。
【図面の簡単な説明】
【図１】この発明の一実施例を示す一部破断したマットレス装置の平面図。
【図２】同じく断面図。
【図３】第１のばね条片の一部を示す斜視図。
【図４】同じく平面図。
【図５】第２のばね条片の一部を示す斜視図。
【図６】ばねユニットの一部を示す平面図。
【図７】同じく図解的側面図。
【図８】他の実施例を示す一部破断したマットレス装置の平面図。
【符号の説明】
１・・・マットレス装置
２・・・ばねユニット
２Ａ・・・ばねユニットの長手方向中央部分
２Ｂ・・・ばねユニットの頭側部分
２Ｃ・・・ばねユニットの足側部分
３ａ、３ｂ・・・第１のばね条片
１０ａ、１０ｂ・・・第２のばね条片
６・・・螺旋状ワイヤ
【図１】
2004121515.tif 000003
【図２】
2004121515.tif 000004
【図３】
2004121515.tif 000005
【図４】
2004121515.tif 000006
【図５】
2004121515.tif 000007
【図６】
2004121515.tif 000008
【図７】
2004121515.tif 000009
【図８】
2004121515.tif 000010